【手続補正書】
【提出日】平成29年4月13日(2017.4.13)
【手続補正１】
【補正対象書類名】特許請求の範囲
【補正対象項目名】全文
【補正方法】変更
【補正の内容】
【特許請求の範囲】
【請求項１】
入力画像と予測画像との差を、各予測単位について、予測画像の生成に用いられる予測パラメータと共に符号化することによって得られた符号化データを復号する画像復号装置において、
各予測単位に適用する予測パラメータを復号する予測パラメータ復号手段と、
予測パラメータの集合である縮減セットを生成する縮減セット構築手段と、
基本セットに含まれる予測パラメータを特定する第１予測パラメータを復号するか、または、縮減セットに含まれる予測パラメータを特定する第２予測パラメータを、上記縮減セットに含まれる予測パラメータの数により決定する長さのビット列から復号する第２予測パラメータ復号手段とを備え、
上記縮減セットは、対象予測単位に対する近傍予測単位領域に含まれる予測パラメータを少なくとも１以上含むとともに、上記縮減セットに含まれる予測パラメータ数は、予め定められた予測パラメータよりなる基本セットに含まれる予測パラメータ数未満であり、
上記予測パラメータ復号手段が復号する予測パラメータは、上記第２予測パラメータ復号手段により符号化データに含まれるフラグの値に応じて復号される第１予測パラメータか、または、上記第２予測パラメータ復号手段により符号化データに含まれるフラグの値に応じて復号される第２予測パラメータに基づくものであり、上記予測パラメータは動き補償予測に用いる動きベクトルであり、
対象予測単位に対する近傍予測単位領域に含まれる少なくとも２以上の予測パラメータに、予測パラメータ間で重複する予測パラメータが存在する場合には、上記重複する予測パラメータのうちの１つを上記縮減セットに含め、上記予測パラメータ復号手段は、上記縮減セットに含まれる予測パラメータを復号し、上記予測パラメータ復号手段は、上記縮減セットに含まれる予測パラメータに関する数が１である場合には、予測パラメータに関する情報の復号を省略して上記予測パラメータを復号することを特徴とする画像復号装置。
【請求項２】
入力画像と予測画像との差を、各予測単位について、予測画像の生成に用いられる予測パラメータと共に符号化することによって得られた符号化データを復号する画像復号方法であって、
各予測単位に適用する予測パラメータを復号する予測パラメータ復号ステップと、
予測パラメータの集合である縮減セットを生成する縮減セット構築ステップと、
基本セットに含まれる予測パラメータを特定する第１予測パラメータを復号するか、または、縮減セットに含まれる予測パラメータを特定する第２予測パラメータを、上記縮減セットに含まれる予測パラメータの数により決定する長さのビット列から復号する第２予測パラメータ復号ステップと、を含み、
上記縮減セットは、対象予測単位に対する近傍予測単位領域に含まれる予測パラメータを少なくとも１以上含むとともに、上記縮減セットに含まれる予測パラメータ数は、予め定められた予測パラメータよりなる基本セットに含まれる予測パラメータ数未満であり、
上記予測パラメータ復号ステップで復号する予測パラメータは、上記第２予測パラメータ復号ステップで符号化データに含まれるフラグの値に応じて復号される第１予測パラメータか、または、上記第２予測パラメータ復号ステップで符号化データに含まれるフラグの値に応じて復号される第２予測パラメータに基づくものであり、上記予測パラメータは動き補償予測に用いる動きベクトルであり、
対象予測単位に対する近傍予測単位領域に含まれる少なくとも２以上の予測パラメータに、予測パラメータ間で重複する予測パラメータが存在する場合には、上記重複する予測パラメータのうちの１つを上記縮減セットに含め、上記予測パラメータ復号ステップでは、上記縮減セットに含まれる予測パラメータを復号し、上記予測パラメータ復号ステップでは、上記縮減セットに含まれる予測パラメータに関する数が１である場合には、予測パラメータに関する情報の復号を省略して上記予測パラメータを復号することを特徴とする画像復号方法。
【請求項３】
入力画像と予測画像との差を、各予測単位について、予測画像の生成に用いられる予測パラメータと共に符号化することによって符号化データを生成する画像符号化装置において、
各予測単位に適用する予測パラメータを符号化する予測パラメータ符号化手段と、
予測パラメータの集合である縮減セットを生成する縮減セット構築手段と、
基本セットに含まれる予測パラメータを特定する第１予測パラメータを符号化するか、または、縮減セットに含まれる予測パラメータを特定する第２予測パラメータを、上記縮減セットに含まれる予測パラメータの数により決定する長さのビット列から符号化する第２予測パラメータ符号化手段とを備え、
上記縮減セットは、対象予測単位に対する近傍予測単位領域に含まれる予測パラメータを少なくとも１以上含むとともに、上記縮減セットに含まれる予測パラメータ数は、予め定められた予測パラメータよりなる基本セットに含まれる予測パラメータ数未満であり、
上記予測パラメータ符号化手段が符号化する予測パラメータは、上記第２予測パラメータ符号化手段により符号化された符号化データに含まれるフラグの値に応じて符号化される第１予測パラメータか、または、上記第２予測パラメータ符号化手段により符号化された符号化データに含まれるフラグの値に応じて符号化される第２予測パラメータに基づくものであり、上記予測パラメータは動き補償予測に用いる動きベクトルであり、
対象予測単位に対する近傍予測単位領域に含まれる少なくとも２以上の予測パラメータに、予測パラメータ間で重複する予測パラメータが存在する場合には、上記重複する予測パラメータのうちの１つを上記縮減セットに含め、上記予測パラメータ符号化手段は、上記縮減セットに含まれる予測パラメータを符号化し、上記予測パラメータ符号化手段は、上記縮減セットに含まれる予測パラメータに関する数が１である場合には、予測パラメータに関する情報の符号化を省略して上記予測パラメータを符号化することを特徴とする画像符号化装置。
【請求項４】
入力画像と予測画像との差を、各予測単位について、予測画像の生成に用いられる予測パラメータと共に符号化することによって符号化データを生成する画像符号化方法において、
各予測単位に適用する予測パラメータの集合である縮減セットを生成する縮減セット構築ステップと、
基本セットに含まれる予測パラメータを特定する第１予測パラメータを符号化するか、または、縮減セットに含まれる予測パラメータを特定する第２予測パラメータを、上記縮減セットに含まれる予測パラメータの数により決定する長さのビット列から符号化する第２予測パラメータ符号化ステップと、
予測パラメータを符号化する予測パラメータ符号化ステップと、を含み、
上記縮減セットは、対象予測単位に対する近傍予測単位領域に含まれる予測パラメータを少なくとも１以上含むとともに、上記縮減セットに含まれる予測パラメータ数は、予め定められた予測パラメータよりなる基本セットに含まれる予測パラメータ数未満であり、
上記予測パラメータ符号化ステップで符号化する予測パラメータは、上記第２予測パラメータ符号化ステップにより符号化された符号化データに含まれるフラグの値に応じて符号化される第１予測パラメータか、または、上記第２予測パラメータ符号化ステップにより符号化された符号化データに含まれるフラグの値に応じて符号化される第２予測パラメータに基づくものであり、上記予測パラメータは動き補償予測に用いる動きベクトルであり、
対象予測単位に対する近傍予測単位領域に含まれる少なくとも２以上の予測パラメータに、予測パラメータ間で重複する予測パラメータが存在する場合には、上記重複する予測パラメータのうちの１つを上記縮減セットに含め、
上記予測パラメータ符号化ステップでは、上記縮減セットに含まれる予測パラメータを符号化し、上記予測パラメータ符号化ステップでは、上記縮減セットに含まれる予測パラメータに関する数が１である場合には、予測パラメータに関する情報の符号化を省略して上記予測パラメータを符号化することを特徴とする画像符号化方法。
【請求項５】
入力画像と予測画像との差を、各予測単位について、予測画像の生成に用いられる予測パラメータと共に符号化することによって得られた符号化データを復号する画像復号方法をコンピュータに実行させるための制御プログラムを記録したコンピュータ読み取り可能な記録媒体であって、
各予測単位に適用する予測パラメータを復号する予測パラメータ復号ステップと、
予測パラメータの集合である縮減セットを生成する縮減セット構築ステップと、
基本セットに含まれる予測パラメータを特定する第１予測パラメータを復号するか、または、縮減セットに含まれる予測パラメータを特定する第２予測パラメータを、上記縮減セットに含まれる予測パラメータの数により決定する長さのビット列から復号する第２予測パラメータ復号ステップと、を含み、
上記縮減セットは、対象予測単位に対する近傍予測単位領域に含まれる予測パラメータを少なくとも１以上含むとともに、上記縮減セットに含まれる予測パラメータ数は、予め定められた予測パラメータよりなる基本セットに含まれる予測パラメータ数未満であり、
上記予測パラメータ復号ステップで復号する予測パラメータは、上記第２予測パラメータ復号ステップで符号化データに含まれるフラグの値に応じて復号される第１予測パラメータか、または、上記第２予測パラメータ復号ステップで符号化データに含まれるフラグの値に応じて復号される第２予測パラメータに基づくものであり、上記予測パラメータは動き補償予測に用いる動きベクトルであり、
対象予測単位に対する近傍予測単位領域に含まれる少なくとも２以上の予測パラメータに、予測パラメータ間で重複する予測パラメータが存在する場合には、上記重複する予測パラメータのうちの１つを上記縮減セットに含め、上記予測パラメータ復号ステップでは、上記縮減セットに含まれる予測パラメータを復号し、上記予測パラメータ復号ステップでは、上記縮減セットに含まれる予測パラメータに関する数が１である場合には、予測パラメータに関する情報の復号を省略して上記予測パラメータを復号する、
ことをコンピュータに実行させるための制御プログラムを記録したコンピュータ読み取り可能な記録媒体。
【請求項６】
入力画像と予測画像との差を、各予測単位について、予測画像の生成に用いられる予測パラメータと共に符号化することによって符号化データを生成する画像符号化方法をコンピュータに実行させるための制御プログラムを記録したコンピュータ読み取り可能な記録媒体であって、
各予測単位に適用する予測パラメータの集合である縮減セットを生成する縮減セット構築ステップと、
基本セットに含まれる予測パラメータを特定する第１予測パラメータを符号化するか、または、縮減セットに含まれる予測パラメータを特定する第２予測パラメータを、上記縮減セットに含まれる予測パラメータの数により決定する長さのビット列から符号化する第２予測パラメータ符号化ステップと、
予測パラメータを符号化する予測パラメータ符号化ステップと、を含み、
上記縮減セットは、対象予測単位に対する近傍予測単位領域に含まれる予測パラメータを少なくとも１以上含むとともに、上記縮減セットに含まれる予測パラメータ数は、予め定められた予測パラメータよりなる基本セットに含まれる予測パラメータ数未満であり、
上記予測パラメータ符号化ステップで符号化する予測パラメータは、上記第２予測パラメータ符号化ステップにより符号化された符号化データに含まれるフラグの値に応じて符号化される第１予測パラメータか、または、上記第２予測パラメータ符号化ステップにより符号化された符号化データに含まれるフラグの値に応じて符号化される第２予測パラメータに基づくものであり、上記予測パラメータは動き補償予測に用いる動きベクトルであり、
対象予測単位に対する近傍予測単位領域に含まれる少なくとも２以上の予測パラメータに、予測パラメータ間で重複する予測パラメータが存在する場合には、上記重複する予測パラメータのうちの１つを上記縮減セットに含め、
上記予測パラメータ符号化ステップでは、上記縮減セットに含まれる予測パラメータを符号化し、上記予測パラメータ符号化ステップでは、上記縮減セットに含まれる予測パラメータに関する数が１である場合には、予測パラメータに関する情報の符号化を省略して上記予測パラメータを符号化する
ことをコンピュータに実行させるための制御プログラムを記録したコンピュータ読み取り可能な記録媒体。